(57)【特許請求の範囲】
【請求項１】
水系洗浄送品液と、分散染料インク組成物と、を備え、
前記水系洗浄送品液が、色材を含まず、水と、分散剤Ｉとして芳香族スルホン酸塩ホルマリン縮合物及びリグニンスルホン酸塩の少なくとも一方と、を含み、
前記分散染料インク組成物が、分散染料と、水と、分散剤ＩＩと、を含み、
前記分散剤Ｉの含有量Ｉが、前記水系洗浄送品液の総量に対して、２．０〜３０質量％であり、
前記分散剤ＩＩの含有量ＩＩが、前記分散染料インク組成物の総量に対して、２．０質量％以上であり、
前記含有量Ｉに対する前記含有量ＩＩの比Ａ（含有量ＩＩ／含有量Ｉ）が、０．１０〜３．０であり、
前記分散剤ＩＩが、芳香族スルホン酸塩ホルマリン縮合物及びリグニンスルホン酸塩の少なくとも一方を含む、
インクセット。
【請求項２】
前記分散剤Ｉの含有量Ｉが、前記水系洗浄送品液の総量に対して、５．０〜１５質量％であり、
前記分散剤ＩＩの含有量ＩＩが、前記分散染料インク組成物の総量に対して、２．０質量％以上であり、
前記含有量Ｉに対する前記含有量ＩＩの比Ａ（含有量ＩＩ／含有量Ｉ）が、０．３０〜２．０である、
請求項１に記載のインクセット。
【請求項３】
水系洗浄送品液と、分散染料インク組成物と、を備え、
前記水系洗浄送品液が、色材を含まず、水と、分散剤Ｉとして芳香族スルホン酸塩ホルマリン縮合物及びリグニンスルホン酸塩の少なくとも一方と、を含み、
前記分散染料インク組成物が、分散染料と、水と、分散剤ＩＩと、を含み、
前記分散剤Ｉの含有量Ｉが、前記水系洗浄送品液の総量に対して、２．０〜３０質量％であり、
前記分散剤ＩＩの含有量ＩＩが、前記分散染料インク組成物の総量に対して、２．０質量％未満であり、
前記含有量Ｉに対する前記含有量ＩＩの比Ｂ（含有量ＩＩ／含有量Ｉ）が、０．０５０〜１．３であり、
前記分散剤ＩＩが、芳香族スルホン酸塩ホルマリン縮合物及びリグニンスルホン酸塩の少なくとも一方を含む、
インクセット。
【請求項４】
前記分散剤Ｉの含有量Ｉが、前記水系洗浄送品液の総量に対して、５．０〜１５質量％であり、
前記分散剤ＩＩの含有量ＩＩが、前記分散染料インク組成物の総量に対して、２．０質量％未満であり、
前記含有量Ｉに対する前記含有量ＩＩの比Ｂ（含有量ＩＩ／含有量Ｉ）が、０．１５〜０．５０である、
請求項３に記載のインクセット。
【請求項５】
前記水系洗浄送品液が、保湿剤Ｉをさらに含み、該保湿剤Ｉの含有量が、前記水系洗浄送品液の総量に対して、５．０〜３０質量％であり、
前記分散染料インク組成物が、保湿剤ＩＩをさらに含み、該保湿剤ＩＩの含有量が、前記分散染料インク組成物の総量に対して、５．０〜３０質量％である、
請求項１〜４のいずれか１項に記載のインクセット。
【請求項６】
前記水系洗浄送品液が、表面張力調整剤をさらに含み、
前記水系洗浄送品液の表面張力が、３５ｍＮ／ｍ以下である、
請求項１〜５のいずれか１項に記載のインクセット。
【請求項７】
前記水系洗浄送品液が、ｐＨ調整剤Ｉをさらに含み、前記水系洗浄送品液のｐＨが、７．０〜１０．０であり、
前記分散染料インク組成物が、ｐＨ調整剤ＩＩをさらに含み、前記分散染料インク組成物のｐＨが、７．０〜１０．０である、
請求項１〜６のいずれか１項に記載のインクセット。
【請求項８】
前記分散剤Ｉ及び前記分散剤ＩＩの少なくとも一方が、芳香族スルホン酸塩ホルマリン縮合物Ｎａ塩及び芳香族スルホン酸塩ホルマリン縮合物Ｃａ塩の少なくとも一方を含む、
請求項１〜７のいずれか１項に記載のインクセット。
【請求項９】
前記分散剤Ｉ及び前記分散剤ＩＩの少なくとも一方が、リグニンスルホン酸Ｎａ塩及びリグニンスルホン酸Ｃａ塩の少なくとも一方を含む、
請求項１〜８のいずれか１項に記載のインクセット。
【請求項１０】
前記分散剤Ｉ及び前記分散剤ＩＩの少なくとも一方が、ナフタレンスルホン酸塩ホルマリン縮合物を含む、
請求項１〜９のいずれか１項に記載のインクセット。
【発明の詳細な説明】
【技術分野】
【０００１】
本発明は、インクセットに関する。
【背景技術】
【０００２】
インクジェット記録方法は、比較的単純な装置で、高精細な画像の記録が可能であり、各方面で急速な発展を遂げている。その中で、記録装置のメンテナンスの面について種々の検討がなされている。例えば、特許文献１には、インクジェット記録装置に対する悪影響が極めて低く、洗浄効果が十分に高い上に、フィルタの洗浄にも有効なインクジェット記録装置用洗浄液の提供を目的として、少なくとも水、水溶性有機溶剤、及びメラミン樹脂微粒子を含有するインクジェット記録装置用洗浄液が開示されている。
【先行技術文献】
【特許文献】
【０００３】
【特許文献１】特開２０１３−１５９７５２号公報
【発明の概要】
【発明が解決しようとする課題】
【０００４】
しかしながら、インク組成物が分散染料を含む場合には、引用文献１等に記載の従来の洗浄液を用いたとしても、異物が生じやすく、吐出安定性が害されるという問題がある。
【０００５】
本発明は、上述の課題の少なくとも一部を解決するためになされたものであり、メンテナンス時において、異物が発生しにくく、吐出安定性を阻害しないインクセットを提供することを目的とする。
【課題を解決するための手段】
【０００６】
本発明者らは、上記課題を解決するために鋭意検討した。その結果、所定の水系洗浄送品液と、分散染料インク組成物と、を組み合わせて用いることにより上記課題を解決できることを見出して、本発明を完成させた。
【０００７】
すなわち、本発明は以下のとおりである。
〔１〕
水系洗浄送品液と、分散染料インク組成物と、を備え、
前記水系洗浄送品液が、色材を含まず、水と、分散剤Ｉとして芳香族スルホン酸塩ホルマリン縮合物及びリグニンスルホン酸塩の少なくとも一方と、を含み、
前記分散染料インク組成物が、分散染料と、水と、分散剤ＩＩと、を含み、
前記分散剤Ｉの含有量Ｉが、前記水系洗浄送品液の総量に対して、２．０〜３０質量％であり、
前記分散剤ＩＩの含有量ＩＩが、前記分散染料インク組成物の総量に対して、２．０質量％以上であり、
前記含有量Ｉに対する前記含有量ＩＩの比Ａ（含有量ＩＩ／含有量Ｉ）が、０．１０〜３．０であり、
前記分散剤ＩＩが、芳香族スルホン酸塩ホルマリン縮合物及びリグニンスルホン酸塩の少なくとも一方を含む、
インクセット。
〔２〕
前記分散剤Ｉの含有量Ｉが、前記水系洗浄送品液の総量に対して、５．０〜１５質量％であり、
前記分散剤ＩＩの含有量ＩＩが、前記分散染料インク組成物の総量に対して、２．０質量％以上であり、
前記含有量Ｉに対する前記含有量ＩＩの比Ａ（含有量ＩＩ／含有量Ｉ）が、０．３０〜２．０である、
〔１〕に記載のインクセット。
〔３〕
水系洗浄送品液と、分散染料インク組成物と、を備え、
前記水系洗浄送品液が、色材を含まず、水と、分散剤Ｉとして芳香族スルホン酸塩ホルマリン縮合物及びリグニンスルホン酸塩の少なくとも一方と、を含み、
前記分散染料インク組成物が、分散染料と、水と、分散剤ＩＩと、を含み、
前記分散剤Ｉの含有量Ｉが、前記水系洗浄送品液の総量に対して、２．０〜３０質量％であり、
前記分散剤ＩＩの含有量ＩＩが、前記分散染料インク組成物の総量に対して、２．０質量％未満であり、
前記含有量Ｉに対する前記含有量ＩＩの比Ｂ（含有量ＩＩ／含有量Ｉ）が、０．０５０〜１．３であり、
前記分散剤ＩＩが、芳香族スルホン酸塩ホルマリン縮合物及びリグニンスルホン酸塩の少なくとも一方を含む、
インクセット。
〔４〕
前記分散剤Ｉの含有量Ｉが、前記水系洗浄送品液の総量に対して、５．０〜１５質量％であり、
前記分散剤ＩＩの含有量ＩＩが、前記分散染料インク組成物の総量に対して、２．０質量％未満であり、
前記含有量Ｉに対する前記含有量ＩＩの比Ｂ（含有量ＩＩ／含有量Ｉ）が、０．１５〜０．５０である、
〔３〕に記載のインクセット。
〔５〕
前記水系洗浄送品液が、保湿剤Ｉをさらに含み、該保湿剤Ｉの含有量が、前記水系洗浄送品液の総量に対して、５．０〜３０質量％であり、
前記分散染料インク組成物が、保湿剤ＩＩをさらに含み、該保湿剤ＩＩの含有量が、前記分散染料インク組成物の総量に対して、５．０〜３０質量％である、
〔１〕〜〔４〕のいずれか１項に記載のインクセット。
〔６〕
前記水系洗浄送品液が、表面張力調整剤をさらに含み、
前記水系洗浄送品液の表面張力が、３５ｍＮ／ｍ以下である、
〔１〕〜〔５〕のいずれか１項に記載のインクセット。
〔７〕
前記水系洗浄送品液が、ｐＨ調整剤Ｉをさらに含み、前記水系洗浄送品液のｐＨが、７．０〜１０．０であり、
前記分散染料インク組成物が、ｐＨ調整剤ＩＩをさらに含み、前記分散染料インク組成物のｐＨが、７．０〜１０．０である、
〔１〕〜〔６〕のいずれか１項に記載のインクセット。
〔８〕
前記分散剤Ｉ及び前記分散剤ＩＩの少なくとも一方が、芳香族スルホン酸塩ホルマリン縮合物Ｎａ塩及び芳香族スルホン酸塩ホルマリン縮合物Ｃａ塩の少なくとも一方を含む、
〔１〕〜〔７〕のいずれか１項に記載のインクセット。
〔９〕
前記分散剤Ｉ及び前記分散剤ＩＩの少なくとも一方が、リグニンスルホン酸Ｎａ塩及びリグニンスルホン酸Ｃａ塩の少なくとも一方を含む、
〔１〕〜〔８〕のいずれか１項に記載のインクセット。
〔１０〕
前記分散剤Ｉ及び前記分散剤ＩＩの少なくとも一方が、ナフタレンスルホン酸塩ホルマリン縮合物を含む、
〔１〕〜〔９〕のいずれか１項に記載のインクセット。
【発明を実施するための形態】
【０００８】
以下、本発明の実施の形態（以下、「本実施形態」という。）について詳細に説明するが、本発明はこれに限定されるものではなく、その要旨を逸脱しない範囲で様々な変形が可能である。
【０００９】
〔インクセット〕
本実施形態のインクセットは、水系洗浄送品液と、分散染料インク組成物と、を備え、前記水系洗浄送品液が、色材を含まず、水と、分散剤Ｉとして芳香族スルホン酸塩ホルマリン縮合物及びリグニンスルホン酸塩の少なくとも一方と、を含み、前記分散染料インク組成物が、分散染料と、水と、分散剤ＩＩと、を含む。
【００１０】
ここで、「洗浄送品液」とは、インク充填時の気泡排出効果や長期不使用時の異物発生の抑制などを目的として、インク充填前又は記録装置の長期不使用時にインク収容容器内又はインク流路内の少なくともいずれかに予め充填する液である。洗浄送品液の充填箇所及び充填量は特に限定されるものではなく、インク収容容器又はインク流路内の少なくとも一部に洗浄送品液を充填すればよい。
【００１１】
また、インクジェット記録装置を用いた画像の記録を長期間行わない場合や吐出不良が起こった場合には、インク収容容器又はインク流路内の少なくともいずれかをインクから洗浄送品液に置換することができる。洗浄送品液への置換は、インクで満たされたインク収容容器又はインク流路内の少なくともいずれかに洗浄送品液を流入させて、インク収容容器又はインク流路内の少なくともいずれかのインクを洗浄送品液に置き換えることで行うことができる。この際、洗浄送品液の流入に先立って、インク収容容器又はインク流路内の少なくともいずれかのインクを系外に排出してもよい。
【００１２】
一方、インクジェット記録装置を用いて画像の記録を再開する場合には、洗浄送品液で満たされたインク収容容器又はインク流路内の少なくともいずれかにインクを流入させて、洗浄液をノズル開口部から排出させることで、洗浄送品液をインクと置換すればよい。この際、インクの流入に先立って、インク収容容器又はインク流路内の少なくともいずれかの洗浄液をノズル開口部から排出させてもよい。
【００１３】
また、インク収容容器又はインク流路の少なくともいずれかをインク又は洗浄送品液で充填するのに、インクと洗浄送品液とを通常のクリーニング動作で入れ替えるようにして充填してもよい。また、記録ヘッドのノズル開口面をキャップにより封止して、キャップと吸引ポンプで接続し、吸引ポンプによりキャップ内に負圧を発生させて、インク又は洗浄送品液をインク流路内に流通させることで充填してもよい。以下、水系洗浄送品液から分散染料インク組成物への置換、及び、分散染料インク組成物から水系洗浄送品液への置換の双方の操作をまとめて「メンテナンス」とも言う。
【００１４】
メンテナンス時には、分散染料インク組成物と水系洗浄送品液とが接することにより、分散染料インク組成物中の分散安定性が害され、異物が発生することがある。また、異物の発生の程度により、記録装置のノズルに目詰まりが生じ、吐出安定性が害される恐れがある。
【００１５】
これに対し、本実施形態のインクセットは、上記構成を有することにより、分散染料インク組成物と水系洗浄送品液とが接した場合でも、分散染料インク組成物の分散安定性を害せず、異物発生を抑制し、吐出安定性も確保することができる。以下各成分について説明する。
【００１６】
ここで、「インク流路」とは、インクジェット記録装置において、インクを流通させるための流路をいう。インク流路としては、例えば、インクを貯留するインク収容容器からインクジェット式記録ヘッドにインクを供給するためのインク供給路や、インクジェット式記録ヘッド内においてインクをノズル開口部まで流通させるための流路が挙げられる。
【００１７】
〔水系洗浄送品液〕
水系洗浄送品液は、色材を含まず、水と、分散剤Ｉとして芳香族スルホン酸塩ホルマリン縮合物及びリグニンスルホン酸塩の少なくとも一方と、を含み、必要に応じてその他の成分を含むことができる。
【００１８】
（水）
水としては、例えば、イオン交換水、限外濾過水、逆浸透水、及び蒸留水等の純水、並びに超純水のような、イオン性不純物を極力除去したものが挙げられる。水の含有量は、水系洗浄送品液の総量に対して、好ましくは４５〜８５質量％であり、より好ましくは５０〜８０質量％であり、さらに好ましくは６０〜７５質量％である。
【００１９】
（分散剤Ｉ）
分散剤Ｉは、芳香族スルホン酸塩ホルマリン縮合物及びリグニンスルホン酸塩の少なくとも一方である。このような分散剤を用いることにより、分散染料インク組成物の分散安定性を害さずに、メンテナンス時における異物発生がより抑制され、インク置換後の吐出安定性がより向上する。なお、本実施形態において、「芳香族スルホン酸塩ホルマリン縮合物」には、芳香族スルホン酸塩ホルマリン縮合物の塩が含まれるものとする。
【００２０】
芳香族スルホン酸塩ホルマリン縮合物としては、特に限定されないが、例えば、クレオソート油スルホン酸、クレゾールスルホン酸、フェノールスルホン酸、β−ナフトールスルホン酸、メチルナフタレンスルホン酸、ブチルナフタレンスルホン酸等のアルキルナフタレンスルホン酸のホルマリン縮合物；β−ナフタレンスルホン酸、β−ナフトールスルホン酸のホルマリン縮合物；クレゾールスルホン酸と２−ナフトール−６−スルホン酸のホルマリン縮合物；及びこれらの塩が挙げられる。
【００２１】
芳香族スルホン酸塩ホルマリン縮合物及びリグニンスルホン酸塩と塩を形成し得る、アニオンとしては、特に限定されないが、例えば、リチウム、ナトリウム、カリウム等のアルカリ金属；マグネシウム、カルシウム等のアルカリ土類金属が挙げられる。このなかでも、ナトリウム、カルシウムが好ましい。このような塩を用いることにより、メンテナンス時における異物発生がより抑制され、インク置換後の吐出安定性がより向上する傾向にある。
【００２２】
一態様として、分散剤Ｉは、芳香族スルホン酸塩ホルマリン縮合物Ｎａ塩及び芳香族スルホン酸塩ホルマリン縮合物Ｃａ塩の少なくとも一方を含むことが好ましく、ナフタレンスルホン酸塩ホルマリン縮合物を含むことがより好ましく、ナフタレンスルホン酸塩ホルマリン縮合物Ｎａ塩及びナフタレンスルホン酸塩ホルマリン縮合物Ｃａ塩の少なくとも一方を含むことがさらに好ましい。このような分散剤Ｉを用いることにより、低温から常温における安定性が比較的向上するため、メンテナンス時における異物発生がより抑制され、インク置換後の吐出安定性がより向上する傾向にある。
【００２３】
また、別態様として、分散剤Ｉは、リグニンスルホン酸Ｎａ塩及びリグニンスルホン酸Ｃａ塩の少なくとも一方を含むことが好ましい。このような分散剤Ｉを用いることにより、常温から高温における安定性が比較的向上するため、メンテナンス時における異物発生がより抑制され、インク置換後の吐出安定性がより向上する傾向にある。
【００２４】
分散剤Ｉの含有量Ｉは、水系洗浄送品液の総量に対して、好ましくは２．０〜３０質量％であり、より好ましくは３．０〜２０質量％であり、さらに好ましくは５．０〜１５質量％である。分散剤Ｉの含有量Ｉが２．０質量％以上であることにより、メンテナンス時における異物発生がより抑制され、インク置換後の吐出安定性がより向上する傾向にある。また、分散剤Ｉの含有量Ｉが３０質量％以下であることにより、インク置換後の吐出安定性がより向上する傾向にある。
【００２５】
（保湿剤Ｉ）
水系洗浄送品液は、保湿剤Ｉをさらに含んでもよい。保湿剤としては、特に限定されないが、１気圧下相当での沸点が、好ましくは１８０℃以上、より好ましくは２００℃以上の高沸点保湿剤を用いることができる。当該沸点が上記範囲内であると、水系洗浄送品液中の揮発成分が揮発することを防止できる。
【００２６】
このような保湿剤Ｉとしては、特に限定されないが、例えば、グリセリン、エチレングリコール、プロピレングリコール、ジエチレングリコール、トリエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコール、ポリエチレングリコール、ポリプロピレングリコール、１，３−プロピレングリコール、イソプロピレングリコール、イソブチレングリコール、メソエリスリトール、及びペンタエリスリトール等が挙げられる。
【００２７】
保湿剤Ｉの含有量は、水系洗浄送品液の総量に対して、好ましくは５．０〜３０質量％であり、より好ましくは１０〜２５質量％であり、さらに好ましくは１５〜２２．５質量％である。保湿剤Ｉの含有量が５．０質量％以上であることにより、保湿性が向上することにより、再溶解しにくい固形物の形成をより抑制できるほか、凍結による記録装置へのアタックをより抑制できる傾向にある。また、保湿剤Ｉの含有量が３０質量％以下であることにより、洗浄性がより向上する傾向にある。
【００２８】
（表面張力調整剤）
水系洗浄送品液は、表面張力調整剤をさらに含んでもよい。表面張力調整剤としては、特に限定されないが、例えば、アセチレングリコール系界面活性剤、フッ素系界面活性剤、及びシリコーン系界面活性剤が挙げられる。
【００２９】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００３０】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【００３１】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。シリコーン系界面活性剤は、１種単独で使用してもよいし、２種以上を併用してもよい。
【００３２】
表面張力調整剤の含有量は、水系洗浄送品液の総量に対して、好ましくは０．１０〜１．５質量％であり、より好ましくは０．１５〜１．０質量％であり、さらに好ましくは０．２５〜０．７５質量％である。表面張力調整剤の含有量が上記範囲内であることにより、洗浄性がより向上する傾向にある。
【００３３】
水系洗浄送品液の表面張力は、好ましくは３５ｍＮ／ｍ以下である。また、水系洗浄送品液の表面張力は、インク組成物の表面張力よりも低いことが好ましい。水系洗浄送品液の表面張力が上記範囲内であることにより、洗浄性やインク置換時の初期充填性がより向上する傾向にある。水系洗浄送品液の表面張力は、実施例に記載の方法により測定することができる。
【００３４】
（ｐＨ調整剤Ｉ）
水系洗浄送品液は、ｐＨ調整剤Ｉをさらに含んでもよい。ｐＨ調整剤Ｉとしては、特に限定されないが、例えば、無機酸（例えば、硫酸、塩酸、硝酸等）、無機塩基（例えば、水酸化リチウム、水酸化ナトリウム、水酸化カリウム、アンモニア等）、有機塩基（トリエタノールアミン、ジエタノールアミン、モノエタノールアミン、トリプロパノールアミン）、有機酸（例えば、アジピン酸、クエン酸、コハク酸等）が挙げられる。
【００３５】
ｐＨ調整剤Ｉの含有量は、水系洗浄送品液の総量に対して、好ましくは０．１０〜１．５質量％であり、より好ましくは０．１５〜１．０質量％であり、さらに好ましくは０．２５〜０．７５質量％である。ｐＨ調整剤Ｉの含有量が上記範囲内であることにより、記録装置のノズルプレートや、樹脂部品、金属部品へのアタック性がより低下し、水系洗浄送品液の安定性もより向上する傾向にある。
【００３６】
水系洗浄送品液のｐＨは、好ましくは７．０〜１０．０である。水系洗浄送品液のｐＨが上記範囲内であることにより、記録装置のノズルプレートや、樹脂部品、金属部品へのアタック性がより低下し、水系洗浄送品液の安定性もより向上する傾向にある。
【００３７】
〔分散染料インク組成物〕
分散染料インク組成物は、分散染料と、水と、分散剤ＩＩと、を含み、必要に応じて、その他の成分を含むことができる。
【００３８】
（分散染料）
分散染料とは、インク組成物中で溶解せず、自己分散状態、又は分散剤による分散状態で存在する染料をいう。具体的には、昇華性染料などが挙げられる。分散染料としては、特に限定されないが、例えば、以下に列記するものが挙げられる。
【００３９】
イエロー分散染料としては、特に限定されないが、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２等が挙げられる。
【００４０】
オレンジ分散染料としては、特に限定されないが、例えば、Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２等が挙げられる。
【００４１】
レッド分散染料としては、特に限定されないが、例えば、Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２６６、２７７、２７８、２７９、２８１、２８８、２９８、３０２、３０３、３１０、３１１、３１２、３２０、３２４、３２８等が挙げられる。
【００４２】
バイオレット分散染料としては、特に限定されないが、例えば、Ｃ．Ｉ．ディスパースバイオレット１、４、８、２３、２６、２７、２８、３１、３３、３５、３６、３８、４０、４３、４６、４８、５０、５１、５２、５６、５７、５９、６１、６３、６９、７７等が挙げられる。
【００４３】
グリーン分散染料としては、特に限定されないが、例えば、Ｃ．Ｉ．ディスパースグリーン９等が挙げられる。
【００４４】
ブラウン分散染料としては、特に限定されないが、例えば、Ｃ．Ｉ．ディスパースブラウン１、２、４、９、１３、１９等が挙げられる。
【００４５】
ブルー分散染料としては、特に限定されないが、例えば、Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３４、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６６、２６７、２６８、２７０、２８４、２８５、２８７、２８８、２９１、２９３、２９５、２９７、３０１、３１５、３３０、３３３、３５９、３６０等が挙げられる。
【００４６】
ブラック分散染料としては、特に限定されないが、例えば、Ｃ．Ｉ．ディスパースブラック１、３、１０、２４等が挙げられる。
【００４７】
一態様として、分散剤ＩＩの含有量ＩＩは、２．０質量％以上であることが好ましい。なお、この態様の場合、分散染料の含有量は、分散染料インク組成物の総量に対して、好ましくは１．６〜８．５質量％であり、より好ましくは４．０〜８．０質量％であり、さらに好ましくは４．５〜７．５質量％である。
【００４８】
別態様として、分散剤ＩＩの含有量ＩＩは、２．０質量％未満であることが好ましい。なお、この態様の場合、分散染料の含有量は、分散染料インク組成物の総量に対して、好ましくは０．２５〜３．５質量％であり、より好ましくは０．５０〜３．０質量％であり、さらに好ましくは０．７５〜２．５質量％である。
【００４９】
（水）
水としては、例えば、イオン交換水、限外濾過水、逆浸透水、及び蒸留水等の純水、並びに超純水のような、イオン性不純物を極力除去したものが挙げられる。水の含有量は、分散染料インク組成物の総量に対して、好ましくは４５〜７５質量％であり、より好ましくは５０〜７０質量％であり、さらに好ましくは５５〜６５質量％である。
【００５０】
（分散剤ＩＩ）
分散剤ＩＩとしては、特に限定されないが、例えば、アニオン系分散剤、ノニオン系分散剤、高分子分散剤が挙げられる。
【００５１】
アニオン系分散剤としては、特に限定されないが、例えば、芳香族スルホン酸のホルマリン縮合物、リグニンスルホン酸が挙げられる。上記芳香族スルホン酸としては、特に限定されないが、例えば、クレオソート油スルホン酸、クレゾールスルホン酸、フェノールスルホン酸、β−ナフトールスルホン酸、メチルナフタレンスルホン酸、ブチルナフタレンスルホン酸等のアルキルナフタレンスルホン酸、β−ナフタレンスルホン酸とβ−ナフトールスルホン酸との混合物、クレゾールスルホン酸と２−ナフトール−６−スルホン酸との混合物等が挙げられる。
【００５２】
ノニオン系分散剤としては、特に限定されないが、例えば、フィトステロールのエチレンオキサイド付加物、コレスタノールのエチレンオキサイド付加物等が挙げられる。
【００５３】
高分子分散剤としては、特に限定されないが、例えば、ポリアクリル酸部分アルキルエステル、ポリアルキレンポリアミン、ポリアクリル酸塩、スチレン−アクリル酸共重合物、ビニルナフタレン−マレイン酸共重合物等が挙げられる。
【００５４】
このなかでも、芳香族スルホン酸塩ホルマリン縮合物及びリグニンスルホン酸塩の少なくとも一方が好ましい。このような分散剤ＩＩを用いることにより、メンテナンス時における異物発生がより抑制され、インク置換後の吐出安定性がより向上がより向上する傾向にある。
【００５５】
芳香族スルホン酸塩ホルマリン縮合物及びリグニンスルホン酸塩と塩を形成し得る、アニオンとしては、特に限定されないが、例えば、リチウム、ナトリウム、カリウム等のアルカリ金属；マグネシウム、カルシウム等のアルカリ土類金属が挙げられる。このなかでも、ナトリウム、カルシウムが好ましい。このような塩を用いることにより、メンテナンス時における異物発生がより抑制され、インク置換後の吐出安定性がより向上する傾向にある。
【００５６】
一態様として、分散剤ＩＩは、芳香族スルホン酸塩ホルマリン縮合物Ｎａ塩及び芳香族スルホン酸塩ホルマリン縮合物Ｃａ塩の少なくとも一方を含むことが好ましく、ナフタレンスルホン酸塩ホルマリン縮合物を含むことがより好ましく、ナフタレンスルホン酸塩ホルマリン縮合物Ｎａ塩及びナフタレンスルホン酸塩ホルマリン縮合物Ｃａ塩の少なくとも一方を含むことがさらに好ましい。このような分散剤ＩＩを用いることにより、低温から常温における安定性が比較的向上するため、メンテナンス時における異物発生がより抑制され、インク置換後の吐出安定性がより向上する傾向にある。
【００５７】
また、別態様として、分散剤ＩＩは、リグニンスルホン酸Ｎａ塩及びリグニンスルホン酸Ｃａ塩の少なくとも一方を含むことが好ましい。このような分散剤ＩＩを用いることにより、常温から高温における安定性が比較的向上するため、メンテナンス時における異物発生がより抑制され、インク置換後の吐出安定性がより向上する傾向にある。
【００５８】
一態様として、分散剤ＩＩの含有量ＩＩが、分散染料インク組成物の総量に対して、２．０質量％以上である場合において、含有量Ｉに対する含有量ＩＩの比Ａ（含有量ＩＩ／含有量Ｉ）は、好ましくは０．１０〜３．０であり、より好ましくは０．３０〜２．０であり、さらに好ましくは０．５０〜１．５である。特に、含有量Ｉが、水系洗浄送品液の総量に対して、５．０〜１５質量％である場合に、比Ａ（含有量ＩＩ／含有量Ｉ）が、０．３０〜２．０であることが好ましい。比Ａが０．１０以上であることにより、メンテナンス時における異物発生がより抑制され、インク置換後の吐出安定性がより向上する傾向にある。
【００５９】
また、別態様として、分散剤ＩＩの含有量ＩＩが、分散染料インク組成物の総量に対して、２．０質量％未満である場合において、含有量Ｉに対する含有量ＩＩの比Ｂ（含有量ＩＩ／含有量Ｉ）は、好ましくは０．０５０〜１．３であり、より好ましくは０．１０〜１．０であり、さらに好ましくは０．１５〜０．５０である。比Ｂが０．０５０以上であることにより、メンテナンス時における異物発生がより抑制され、インク置換後の吐出安定性がより向上する傾向にある。
【００６０】
（ｐＨ調整剤ＩＩ）
分散染料インク組成物は、ｐＨ調整剤ＩＩをさらに含んでもよい。ｐＨ調整剤ＩＩとしては、特に限定されないが、例えば、ｐＨ調整剤Ｉで列記したものが挙げられる。ｐＨ調整剤ＩとｐＨ調整剤ＩＩは同一であっても異なっていてもよい。
【００６１】
ｐＨ調整剤ＩＩの含有量は、分散染料インク組成物の総量に対して、好ましくは０．１０〜１．０質量％であり、より好ましくは０．１５〜０．７５質量％であり、さらに好ましくは０．２５〜０．５０質量％である。ｐＨ調整剤ＩＩの含有量が上記範囲内であることにより、記録装置のノズルプレートや、樹脂部品、金属部品へのアタック性がより低下し、水系洗浄送品液の安定性もより向上する傾向にある。
【００６２】
分散染料インク組成物のｐＨは、好ましくは７．０〜１０．０である。分散染料インク組成物のｐＨが上記範囲内であることにより、記録装置のノズルプレートや、樹脂部品、金属部品へのアタック性がより低下し、水系洗浄送品液の安定性もがより向上する傾向にある。
【実施例】
【００６３】
以下、本発明を実施例及び比較例を用いてより具体的に説明する。本発明は、以下の実施例によって何ら限定されるものではない。
【００６４】
［水系洗浄送品液用の材料］
下記の実施例及び比較例において使用した水系洗浄送品液用の主な材料は、以下の通りである。
【００６５】
〔分散剤Ｉ〕
ナフタレンスルホン酸Ｎａホルマリン縮合物
リグニンスルホン酸Ｎａ
ナフタレンスルホン酸Ｃａホルマリン縮合物
スチレン−アクリル共重合体
〔保湿剤Ｉ〕
グリセリン
〔表面張力調整剤〕
ＢＹＫ３４８（シリコーン系界面活性剤、ビックケミー・ジャパン社製）
〔ｐＨ調整剤Ｉ〕
トリエタノールアミン
【００６６】
［水系洗浄送品液の調製］
各材料を下記の表１に示す組成で混合し、十分に撹拌し、各水系洗浄送品液Ｓ−１〜１３を得た。なお、下記の表１中、数値の単位は質量％であり、合計は１００．０質量％である。
【００６７】
〔表面張力〕
全自動表面張力計ＣＢＶＰ−Ｚ（協和界面科学社製）を用いたＷｉｌｈｅｌｍｙ法により、各水系洗浄送品液Ｓ−１〜１３の表面張力を測定した。
【００６８】
〔ｐＨ〕
ｐＨ  ＭＥＴＥＲ  ＭＯＤＥＬ  ＰＨ８２（横河電機製）を用いて、各水系洗浄送品液Ｓ−１〜１３のｐＨを測定した。
【００６９】
【表１】
0006459055.tif 000002
【００７０】
［インク組成物用の材料］
下記の実施例及び比較例において使用したインク組成物用の主な材料は、以下の通りである。
〔分散染料〕
ＤＹ５４（Ｄｉｓｐｅｒｓｅ  Ｙｅｌｌｏｗ  ５４）
ＤＲ６０（Ｄｉｓｐｅｒｓｅ  Ｒｅｄ  ６０）
ＤＢ３５９（Ｄｉｓｐｅｒｓｅ  Ｂｌｕｅ  ３５９）
〔分散剤ＩＩ〕
ナフタレンスルホン酸Ｎａホルマリン縮合物
〔表面張力調整剤〕
ＢＹＫ３４８（シリコーン系界面活性剤、ビックケミー・ジャパン社製）
〔溶剤〕
グリセリン
トリエチレングリコール
〔ｐＨ調整剤ＩＩ〕
トリエタノールアミン
〔キレート剤〕
ＥＤＴＡ・２Ｎａ（四酢酸エチレンジアミン）
〔防腐剤〕
プロキセルＧＸＬ（Ａｖｅｃｉａ社製）
【００７１】
［分散染料インク組成物の調製］
各材料を下記の表２に示す組成で混合し、十分に撹拌し、各分散染料インク組成物Ａ−１〜７、Ｂ−１〜２を得た。なお、下記の表２中、数値の単位は質量％であり、合計は１００．０質量％である。
【００７２】
〔表面張力〕
全自動表面張力計ＣＢＶＰ−Ｚ（協和界面科学社製）を用いたＷｉｌｈｅｌｍｙ法により、各分散染料インク組成物Ａ−１〜７、Ｂ−１〜２の表面張力を測定した。
【００７３】
〔ｐＨ〕
ｐＨ  ＭＥＴＥＲ  ＭＯＤＥＬ  ＰＨ８２（横河電機製）を用いて、各分散染料インク組成物Ａ−１〜７、Ｂ−１〜２のｐＨを測定した。
【００７４】
【表２】
0006459055.tif 000003
【００７５】
〔異物発生評価〕
上記のようにして得られた水系洗浄送品液９９部と分散染料インク組成物１部を混合し、１０ｍＬの混合液を得た。得られた混合液を、４０℃で１週間放置した後のサンプルＸと、４０℃で２週間放置した後のサンプルＹを用意した。得られたサンプル中の異物を観察し、下記評価基準により、異物の発生を評価した。
（評価基準）
○  ：サンプルＸにおいても、サンプルＹにおいても異物の発生が認められない
△  ：サンプルＸにおいては異物の発生が認められず、サンプルＹにおいては異物の発生が認められた
×  ：サンプルＸにおいても、サンプルＹにおいても異物の発生が認められた
××：サンプルＸにおいても、サンプルＹにおいても多量の異物の発生が認められた
【００７６】
〔吐出安定性評価〕
記録装置（セイコーエプソン社製、製品名：ＳｕｒｅＣｏｌｏｒ  ＳＣ−Ｆ６０００）のインク流路及びインク収容体に上記のようにして得られた水系洗浄送品液を充填した。その後、水系洗浄送品液を排出し、そのまま記録装置を４０℃で１週間放置した。放置後の記録装置のインク流路及びインク収容体に上記のようにして得られた分散染料インク組成物を充填し、Ｂ０サイズの被記録媒体に対して、打ち込み量１００％で、べた画像を記録し、下記評価基準で吐出安定性を評価した。
（評価基準）
◎  ：連続で抜け・ヨレなく記録が可能な枚数が、２０枚以上
○  ：連続で抜け・ヨレなく記録が可能な枚数が、１５枚以上〜２０枚未満
△  ：連続で抜け・ヨレなく記録が可能な枚数が、１０枚以上〜１５枚未満
×  ：連続で抜け・ヨレなく記録が可能な枚数が、５枚以上〜１０枚未満
××：連続で抜け・ヨレなく記録が可能な枚数が、５枚未満
【００７７】
【表３】
0006459055.tif 000004
【００７８】
【表４】
0006459055.tif 000005
【００７９】
【表５】
0006459055.tif 000006
【００８０】
なお、上記実施例及び比較例においては、水系洗浄送品液Ｓ−１〜Ｓ−１３をそれぞれ１水準として、この水系洗浄送品と各インク組成物との組み合わせ（実施例Ｉ−１〜ＶＩＩＩ−１、実施例Ｉ−２〜ＶＩＩＩ−２、実施例Ｉ−３〜ＶＩＩＩ−３、実施例Ｉ−４〜ＶＩＩＩ−４、実施例Ｉ−５〜ＶＩＩＩ−５、実施例Ｉ−６〜ＶＩＩＩ−６、実施例Ｉ−７〜ＶＩＩＩ−７、実施例Ｉ−８〜ＶＩＩＩ−８、比較例Ｉ−１〜ＶＩＩＩ−１、比較例Ｉ−２〜ＶＩＩＩ−２、比較例Ｉ−３〜ＶＩＩＩ−３、及び比較例Ｉ−４〜ＶＩＩＩ−４、比較例Ｉ−５〜ＶＩＩＩ−５）の評価結果において、×の評価が２つ以下、及び、△の評価が２つ以下のものについては、異物が発生しにくく、吐出安定性を阻害しないインクセットであると評価した。